(57)【特許請求の範囲】
【請求項１】
底部に燃焼マットを敷設した器状本体内に、底部に固定ネットを張設し、上口縁に外向きフランジを設けた短筒状中蓋を内挿して、外向きフランジを本体の上口縁上に載せ嵌めることにより、燃焼マットと固定ネット間に線香を挟持し、さらに天井部に排煙孔群を穿設し、下面を開口した短筒状の外蓋を、本体に対して外蓋の周壁部を本体の周壁部の外側に接触状態にて少なくとも本体の深さの略上半分に相当する深度を保って被せ嵌合させて、中蓋を外蓋と本体間にて定着せしめてなる渦巻蚊取線香燻焼器。
【請求項２】
前記器状本体は、上口縁上に内向き環状リブを設け、中蓋を内挿することにより、前記内向き環状リブで本体及び中蓋の両周壁間に環状空間部を形成した請求項１の渦巻蚊取線香燻焼器。
【請求項３】
前記燃焼マットは、表面に線香を載置せしめ得る窪みが形成され、この窪み周縁の環状小壁により、線香の移動を規制すべくなる請求項１または２の渦巻蚊取線香燻焼器。
【発明の詳細な説明】
【０００１】
【発明の属する技術分野】
この発明は渦巻蚊取線香燻焼器に関し、平面上での置き使用は勿論、特に屋外での移動、作業に適した燻焼器に関する。
【０００２】
【従来の技術】
屋外での各種作業、移動時、渦巻蚊取線香燻焼器を吊下げ状に携帯することにより蚊取線香の使用分野を拡大せしめることが出来た。それに伴い各種吊下げ型の燻焼器が提供され今日に至っているも、その主流となる燻焼器は、図３および図４に示す如く、例えば実公昭５８−３４８７号公報にその一例を示すように、底部にグラスウール製マット３２を敷設した浅底の皿状本体３１に、周壁内周縁部にグラスウール製ネット３４を張設し、天板部に排煙孔３７を穿設した同じく浅底の皿状蓋体３３を被着せしめ、この本体３１と蓋体３３とは適宜の係止手段をもって両体は固着され、着火された線香（イ）は本体のグラスウール製マット３２と蓋体のグラスウール製ネット３４間にて挟持されて燻焼を続ける。
【０００３】
皿状本体と皿状蓋体との被着状態を維持せしめるための係止手段は種々提案されているも、この種の燻焼器は長期の使用に伴って立ち上がる燻煙中に多量に含まれる油脂類の本体と蓋体の嵌合、係合などを主体とする係止部分には油脂類の付着固化が発生進行し、燻焼器の汚損さらには蓋体と本体との開閉の困難となって現れる。このため本体と蓋体との係止手段は可能な限り簡便なもので、その係止個所も本体全周のうち、二、三個所の、かつ局部的な構造のものが採用され、具体的に前記実公昭５８−３４８７号公報に開示された係止手段は蓋体３３の周壁部に所定の間隔を保って外方向に向かって複数の突起片３５を突設せしめ、この突起片３５数に対応して本体３１には漸次先狭の間隙凹部３６を設け、この各間隙凹部３６に、蓋体を本体に対して平行回転せしめることにより蓋体３３の各突起片３５とそれぞれ嵌入係止せしめて本体３１に対して蓋体３３を被着せしめている。
【０００４】
【発明が解決しようとする課題】
この燻焼器を吊下げ状態にて長期間使用することにより、本体と蓋体との被着周縁部には油脂ヤニが次第に付着固化し、蓋体の開閉が困難なものとなり、特にこの油脂ヤニが本体と蓋体との係合個所に付着固化することにより一層蓋体の開閉を難しくし、燻焼器周縁に付着し、該部を汚損する油脂ヤニの存在は、燻焼器自体の価値を損なう結果ともなる。
【０００５】
また上記蓋体の開閉を容易なものとするために、特に考慮された本体と蓋体との係止個所を二、三個所の局部的なものに限定することにより、油脂ヤニの付着固化による弊害を除去せんとする構造は、反面蓋体の本体よりの不測の開離の発生とも結びつき、これに伴う火傷などの危惧ともなる。
また燻焼器の使用時、線香の燻焼火元および燻焼煙による相乗効果により蓋体の一部は局部的に高温となることがあり、このことも解決すべき課題の一つであった。
さらに、また燻焼器中にて、着火線香が所定の個所から移動し、線香の着火部が燻焼器本体の一部と接触するにより、線香の着火部より多量の燻焼器への放熱が生じ、これが線香の立消えの原因ともなった。
【０００６】
この発明は燻焼器本体と蓋体との被着係止個所への油脂ヤニの付着固化による器具の汚損、蓋体の開閉障害、燻焼器の局部的加熱による不測の弊害を事前に阻止し、さらに線香の移動に伴う立消えの発生をも確実に阻止しうるなど多方面に従来の燻焼器に内在する弊害を未然に阻止しうる燻焼器を提供することを目的とするものである。
【０００７】
【課題を解決するための手段】
これら目的を達成するために、この発明に係る渦巻蚊取線香燻焼器は、つぎのような構成を採用している。
多少深目の器状本体の底部には燃焼マットが敷設され、この本体内には、底面全体に固定ネットを張設し、上口縁に外向きフランジを設けた短筒状中蓋が本体の周壁との間に環状空間部を残して嵌め込まれ、外向きフランジを本体の上口縁に設けた内向き環状リブ上に載せ嵌めた状態で本体と中蓋を嵌合した時、燃焼マット上に載置された着火した渦巻蚊取線香は本体のマットと中蓋のネット間にて挟持される。着火線香および中蓋を装備した本体には天井面に排煙孔群を穿設せしめた短筒状外蓋を、その周壁部が本体の周壁部外側に接触接合状態に被せ嵌合させることにより、中蓋のフランジ部分を本体の上口縁の環状リブとの間にて挟持固定するもので、本体周壁の外側に外蓋周壁を被せ添わせた状態に接触接合させるものであるから、周壁同士の広い帯環状に連なる接触力と相俟って、その結合力は強力で、比較的浅い嵌合深度によっても容易に離脱しない十分な結合力は得られるものである。
【０００８】
前記本体底部に敷設された燃焼マット面には線香を抱持するに適する浅い窪みが形成され、この窪みにて燃焼マット表面に相対的に形成された環状の小壁の存在にて線香の大きな移動、即ち線香の着火部分の本体への直接の接触が阻止され、これにより線香の立消え現象の発生が未然に抑止される。
又、中蓋の上口縁に設けた外向きフランジの外方向への張り出し量に応じて中蓋の周壁と本体の周壁との間に環状空間部を意図的に残すことも可能であるが、本体上口縁に下側に巻き込んだ内向き環状リブを設けることによっても、中蓋周壁部との間に環状空間部を形成することができ、着火線香の火元部および燻煙とによる本体、特に本体周壁部分の局部的な加熱が遮断され、安全性の高い燻焼器を提供することができる。
【０００９】
本器の場合、燻焼煙より生じる油脂ヤニは本体と中蓋との接触部分に集中するも、互いに凹凸部のない扁平な外蓋の天井部で中蓋のフランジ部を上方から押支して完全に接合隠蔽され、燻焼煙が本体と外蓋との唯一の接触部である外側での嵌合接触部にまで伸展することがないため、本体と外蓋との互いの接触部が燻焼煙ヤニで固まることがなく、常に円滑な開閉が可能となり、加えて本具自体の外観を損なうこともなく、また中蓋のフランジ部の本体上口縁への掛け載せ部には、外蓋の嵌合接触部同様に外蓋と中蓋の前記接合隠蔽部によって燻焼煙の及ぶことを阻止されているため、中蓋を外蓋と共に本体から円滑に抜脱させることができる。しかも、中蓋を本体に対して適宜平行回転せしめることにより、付着ヤニの付着個所は分散でき、この付着量が増大する折には中蓋のフランジ部あるいは外蓋天井部、さらに本体燃焼室内の清掃作業を比較的手軽に実行し得る形状であるため、常時油脂ヤニの汚損付着を取り除くことも可能である。
【００１０】
【発明の実施の形態】
この発明に係る渦巻蚊取線香燻焼器の具体的実施例を図面を用いて説明する。  図１はこの発明を実施した燻焼器の中央断面図で、図２はこの燻焼器を構成する各部材の組立前の分解斜視図である。
【００１１】
この燻焼器は本体１、中蓋１１および外蓋２１の三主要構成部材の組立よりなり、まず比較的深さのある器状本体１の周壁２の上口縁には内向き環状リブ３が形成され、本体１の底部には、本体１の周壁２のうち、本体の底部４寄り位置に隆起した内向き環状突条５にてその外周面を強固に支持されたロックウール又はグラスウール製燃焼マット６が敷設され、該マット表面部には渦巻蚊取線香の下側の一部を収容しうるに十分の窪み７を形成し、この窪み７の形成により相対的にマット６の表面側外周部分に線香の移動量を規制するストッパー的役割を演じうる環状小壁が形成されている。
【００１２】
つぎに三主要構成部の一つたる中蓋１１については、短筒状中蓋の周壁１２の上口縁には下側に巻き込んだ外向きフランジ１３が形成され、中蓋１１の底部には、周壁１２の下口縁に設けた内向きの環状受座片１４に、その外周縁を全周に亘って接着剤等を用いて固着されたガラス繊維をもって構成される固定ネット１５が張設されている。
【００１３】
又最後の説明部材としての外蓋２１は、本体１、中蓋１１とは異なり、底部には開放開口部２２を有する短筒状に形成し、外蓋２１の天井部２５には燻焼煙の排煙孔２３群が穿設され、外蓋２１の周壁２４は、本体１の周壁２の外周面に緊密強固に嵌合する内径を保有している。
そして本体１の周壁２には、本体に被着状に嵌合される外蓋２１との嵌合域を外して、例えばリング９およびナスカン１０などから構成される吊下げ具が付設されている。
【００１４】
本燻焼器は以上説明した三主要構成部材よりなり、着火され燻焼状態にある渦巻蚊取線香（イ）は本体１の燃焼マット６上、より詳しくはマット６の窪み７内に納まるよう載置され、線香（イ）を収容した本体１には中蓋１１が内挿され、中蓋の固定ネット１５は本体の燃焼マット６と共に線香（イ) を挟持し、中蓋１１はその外向きフランジ１３を本体１の内向き環状リブ３上に載置した状態にてルーズに嵌合し、本体の周壁２と中蓋の周壁１２間に環状の空間部１７が形成される。
中蓋１１を抱持した本体１には、外蓋２１が今度は本体１の略上半分の十分の深度を保って本体１を内抱する形に本体の周壁２と外蓋の周壁２４は緊密強固に嵌合し、完全嵌合完了時には、本体の内向き環状リブ３と外蓋の天井部２５の外周縁内側部分にて、中蓋の外向きフランジ１３部を押支挟持し、本体１内にて中蓋１１を安定定置せしめ、延いては線香（イ）をマット６とネット１５間にて挟持安定せしめる。
そして燻焼煙は外蓋の排煙孔２３より排出され、燻焼器の吊下げ使用時には、上昇した燻焼煙の一部は中蓋１１の周壁１２内面を案内として排煙孔２３より排出される。
【００１５】
【発明の効果】
この発明に係る渦巻蚊取線香燻焼器は、外向きフランジを設けた短筒状中蓋を本体上口縁に載せ嵌めて、本体内の上口縁に亘り中蓋を内挿することにより、本体に対する外蓋との嵌合接触部、さらに中蓋との掛け載せ部を、いずれも燻焼室と隔絶した燻焼煙の及ばない本体外側の互いの周壁部において形成させる構成から、外蓋の本体への嵌合接触部および中蓋のフランジ部の掛け載せ部に、それぞれ燻焼煙ヤニの付着することがなく、該嵌合接触部および掛け載せ部が燻焼煙ヤニの凝固で固まってしまうことがないので、長い使用にも外蓋および中蓋の本体への円滑な開閉嵌脱を保つことができ、従って、線香の入れ替えがし易いばかりでなく、燻焼器内部の清掃作業の煩雑さを軽減し、常時清掃された汚損のない状態で気持良く燻焼器を使用することができる。
しかも、中蓋を内装した本体に対して短筒状の周壁を有する外蓋を緊密強固に嵌合せしめることにより、マットとネットによる線香の安定性に富む挟持状態は容易に実現する。
又本体に対する短筒状の周壁を有する外蓋の単なる緊密強固な嵌合の手段により、燻焼器の強固な組立は完了し、着火線香の燻焼器よりの不測の離脱は確実に抑止することができる。
【００１６】
また線香の火元部および燻焼煙による燻焼器の、特にその周壁部の局部的加熱による弊害は、中蓋と本体との嵌合時の両周壁部間に形成される環状空間部の存在により、熱伝導は阻止され、火傷などの不測事態を未然に防止することができる。
【００１７】
さらに排出する燻焼煙の接触により発生する燻焼器の、特に中蓋フランジ部と外蓋の嵌合接合個所に多発する油脂ヤニの付着固化現象は、外蓋を本体（中蓋）に対し回転させ、中蓋フランジ部に対する外蓋の嵌合接合位置を適宜変更することにより、その付着固化は分散でき、局部的な固化の集中を排除することができ、また分離可能な三部材の組立からなる本器にあっては、付着ヤニ類の清浄作業も容易で、常時汚損ない状態にて燻焼器の使用が可能であることは前述の通りである。
【００１８】
また、燃焼マットの窪み部に収容された着火線香は不測の移動時にもマット周縁に設けた環状小壁がストッパーの役割を果たし、線香はそれ以上の移動は阻止され、線香着火部の本体周壁部との接触に伴う立消え現象の発生を確実に阻止でき、常に線香の最期までの有効燻焼を実現することができる。
【図面の簡単な説明】
【図１】この発明を実施した燻焼器の中央断面図である。
【図２】この発明の燻焼器を構成する各部材の組立前の分解斜視図である。
【図３】従来の燻焼器の平面図である。
【図４】従来の燻焼器の中央断面図である。
【符号の説明】
１    器状本体
２    周壁
３    内向き環状リブ
６    燃焼マット
７    窪み
８    環状小壁
１１  中蓋
１２  周壁
１３  外向きフランジ
１５  固定ネット
１７  環状空間部
２１  外蓋
２３  排煙孔
２４  周壁
２５  天井部
【図１】
0003634767.tif 000002
【図２】
0003634767.tif 000003
【図３】
0003634767.tif 000004
【図４】
0003634767.tif 000005